Podtech/llm-jp-corpus-v4-ja_patent huggingface dataset:
(57)【要約】【課題】緑化木または草花栽培における植物育成基材を提供する。【解決手段】ココヤシピート繊維を加圧形成することにより得られるココヤシピート積層、さらに接着剤又は粘着剤を含有しない、植物育成用基材である。過剰な水はココヤシピートを通過して排水する。さらに、本発明によれば苗の植え付けや播種にあたって、直接ココヤシピート積層に苗の植え付けや播種を行っても、植物の根の伸長が可能である。【選択図】図１
2013247945.tif 000002
【特許請求の範囲】
【請求項１】
ココヤシピートを加圧形成することにより得られるココヤシピートが積層されている植物育成用基材。
【請求項２】
前記ココヤシピート積層の側面を凹設した、請求項１の植物育成基材。
【請求項３】
前記ココヤシピート積層の側面を貫設した、請求項１の植物育成基材。
【請求項４】
前記ココヤシピート積層の側面を横設した、請求項１の植物育成基材。
【請求項５】
ココヤシピート層に接着剤又は粘着剤を含有しない、請求項１又は請求項２又は請求項３又は請求項４の植物育成用基材。
【請求項６】
ココヤシピートを加圧形成することにより、ココヤシピートを載置して加圧形成することにより、ココヤシピート積層を形成する、ココヤシピート積層形成工程を有する植物育成基材の製造方法。
【発明の詳細な説明】
【技術分野】
【０００１】本発明は、植物を育成するための植物育成用基材及びその製造方法に関する。
【背景技術】
【０００２】従来より、緑化木や草花類の植物栽培における作業性や生育性の改善を目的として・種々の人工基材が提案されている。このような植物生育用の人工基材としては、ピートモス、わら、土壌などを主成分として含有し、それらに肥料、土壌改良材、土壌活性剤などを配合して圧縮形成したものが知られている。例えば、ココヤシ果皮に含まれるココヤシピート又はココヤシ繊維をシートで包み、加圧成形した植物育成基材が提案されている。（特許文献１）
【先行技術文献】
【特許文献】
【０００３】
【特許文献１】特開平１１−２９９３４５号公報
【発明の概要】
【発明が解決しようとする課題】
【０００４】  ココヤシピートを圧縮形成した植物育成用基材は、軽量且つ強度が優れているので保管及び運搬が容易であり作業性にも優れている。しかし、ココヤシピートを平板状に圧縮したものは吸水にある程度の時間を要した。そこで、本発明は、加工を加え、吸水性を向上させたココヤシピートを圧縮形成した植物基材を提供することを目的とする。
【課題を解決するための手段】
【０００５】本発明（１）は、ココヤシピートを加圧形成することにより得られるココヤシピートが積層している植物育成用基材である。【０００６】本発明（２）は、ココヤシピート積層が接着剤又は粘着剤を含有しない、植物育成用基材である。【０００７】本発明（３）は、ココヤシピート積層の側面を凹設した植物育成用基材である。【０００８】本発明（４）は、ココヤシピート積層の側面を貫設した植物育成用基材である。【０００９】本発明（５）は、ココヤシピート積層の側面を横設した植物育成用基材である。【００１０】本発明（６）は前記発明（１）〜（５）のいずれかの植物育成用基材は、疎水性地盤上に載置される植物育成用基材である。【００１１】本発明（７）は、ココヤシピートを載置して加圧形成することにより、ココヤシピート積層を形成する、ココヤシピート積層形成工程を有する植物育成基材の製造方法である。
【発明の効果】
【００１２】本発明に係る植物育成基材は、適度な保水性・排水性を有する植物育成用基材を提供することができるので、排水層を設置することなく、直接設置するのみで適切な保水性を有する地盤を形成することができる。本発明によれば、過剰な水はココヤシピートを通過して排水する。さらに、本発明によれば苗の植え付けや播種にあたって、直接ココヤシピート層に苗の植え付けや播種を行っても、植物の根の伸長が可能である。【００１３】本発明に係る植物育成基材は、ココヤシピートのみで成形し、平板状態を保っており、更に、圧縮後の厚さを４〜５ｃｍにすることが可能である。注水復元すると厚さが２０ｃｍ程度になる。【００１４】本発明（２）によれば、圧縮形成することにより、ココヤシピート同士が絡まり合い、強固に一体化する。【００１５】本発明（３）〜（５）によれば、本発明に係る植物育成基材の表面積を拡大させ、吸水性を向上させる。加工による吸水性にほとんど違いはない。【００１６】本発明（６）によれば、本発明に係る植物育成基材は、適度な保水性・排水性を有するので、植物育成に適した地盤を提供することができる。【００１７】本発明（７）によれば、当該工程を経ることによって、ココヤシピートが強固に絡み合い、接着される。
【図面の簡単な説明】
【００１８】
【図１】  本発明の実施形態を示す植物育成基材の斜視図
【図２】  本発明の実施形態を示す植物育成基材の側面図
【発明を実施するための形態】
【００１９】本発明に係る植物育成用基材は、ココヤシピートを加圧形成することにより得られる、ココヤシピートが積層されている。植物育成基材を置いて散水するだけで、育成地盤を形成することができる。注水復元したココヤシピートは、植物の根が十分に伸長可能で、根に水分を供給することができる。
【００２０】本発明に係る植物育成用基材は、乾燥時重量は０．６５ｋｇと軽量であるので、運搬や、施工が容易である。散水した湿潤時重量は３〜４ｋｇと極めて軽量であるので、一般家庭での取り扱いが容易である。本発明に係る植物育成用基材は、使用後、可燃ごみとして処分することができる。
【実施例】
【００２１】以下、実施例により本発明をさらに詳しく説明するが、本発明はこれらにより限定されるものではない。【００２２】実施例１
ココヤシピート０．６５ｋｇを２００×２０×１０ｃｍの長方形の型内部に入れ、厚さ５ｃｍに圧縮し、平板状に形成されたココヤシピート積層を得た。乾燥時重量は０．６５ｋｇと軽量であった。また、散水した後の湿潤時重量は３〜４ｋｇと極めて軽量であるので、一般家庭での取り扱いが容易である。本発明に係る植物育成用基材は、使用後、可燃ごみとして処分することができる。
【符号の説明】
【００２３】１  植物育成用基材本体
２  植物育成用基材表面積拡大用凹設部
【図１】
2013247945.tif 000003
【図２】
2013247945.tif 000004
(57)【要約】      （修正有）【課題】板海苔、味付け海苔はあるが、薬味や具材を混ぜ込んだ板海苔、切海苔はなく、薬味入りの海苔で、海苔の即売に貢献でき、新しい海苔の商品として薬味入り海苔を提供する。【解決手段】生海苔または岩海苔に、醤油やジャコ、辛子明太子、唐辛子、七味、山椒等の薬味を混ぜ込んだ板海苔。【選択図】なし【特許請求の範囲】
【請求項１】
生海苔に醤油やジャコ、辛子明太子、唐辛子、七味、山椒等の薬味を混ぜ込んだ板海苔である。
【請求項２】
岩海苔に薬味を混ぜ込んだ板海苔である。
【発明の詳細な説明】
【技術分野】
【０００１】  従来の板海苔製造法に、薬味を混ぜ入れるだけの事なので、技術分野で十分である。
【背景技術】
【０００２】  従来の板海苔、味付け海苔はあるが、薬味や具材を混ぜ込んだ板海苔、切海苔はないので、そこで考案された板海苔、切海苔である。
【発明の開示】
【発明が解決しようとする課題】
【０００３】  生海苔に色々な薬味、具材を混ぜ入れた板海苔であり、従来にはない画期的な板海苔である。
【課題を解決するための手段】
【０００４】  生海苔を水洗いし、生海苔を入れた槽の中に色々な薬味（具材）を混ぜ、木型の下に簀子を敷き、薬味入りの生海苔を入れ型どって、乾燥させた板海苔である。
【発明の効果】
【０００５】  新発想で従来にない板海苔で試作試食の結果、美味で好評であった。
【発明を実施するための最良の形態】
【０００６】  何百年と海苔の歴史は古く、新しい発想の板海苔である。色々な薬味入り板海苔、切海苔は食卓を美味しくするのである。
【実施例】
【０００７】  新開発で新商品、画期的で美味しい板海苔、切海苔である。
【産業上の利用可能性】
【０００８】  従来の歴史ある板海苔は日本の食文化に欠かせないが、ここに新しい薬味混ぜ入り板海苔、切海苔が産業上大いに貢献出来るのである。
【図面の簡単な説明】
【０００９】
【図１】Ａ  型枠断面図      Ｂ  側面断面図
【符号の説明】（ア）海苔入れ器          （カ）海苔と薬味を移す
（イ）薬味（具）
（ウ）生海苔薬味
（エ）簀子
（オ）型枠
【図１】
2013247946.tif 000002
(57)【要約】【課題】  既設の電線を保護する管のねじ接続部はそのままにして、追加して補強する簡便な方法を考え、それを実現する物を提供すること。【解決手段】  管Ａ、ソケットＳ、管Ｂの順に接続された管路を、２個（一対）のクランプで向い合せに挟んだとき、クランプ中央にソケットＳが隙間のある状態で収まるリセスを設け、クランプ両端に管Ａおよび管Ｂに当たる締付面を設けて、２個のクランプをボルトで締付けて管路に取付け、管路に掛かる荷重を管Ａ、クランプ、管Ｂと伝達し支えるようにした電線管補強クランプ。【選択図】図１
2013247852.tif 000002
【特許請求の範囲】
【請求項１】
管Ａ、ソケットＳ、管Ｂの順に接続された管路を、２個（一対）のクランプで向い合せに挟んだとき、クランプ中央にソケットＳが隙間のある状態で収まるリセスを設け、クランプ両端に管Ａおよび管Ｂに当たる締付面を設けて、２個のクランプをボルトで締付けて管路に取付け、管路に掛かる荷重を管Ａ、クランプ、管Ｂと伝達し支えるようにしたことを特徴とする電線管補強クランプ。
【発明の詳細な説明】
【技術分野】
【０００１】  本発明は、電線を保護する電線管の部品に属する。
【背景技術】
【０００２】  電線を埋設したり電線に人が接触したりする場合には、電線を保護するために管を使いその中に電線を通す方法が採られる。そして、管が電線管（以下、管という）の場合、その接続は一般にねじで接続する。
その方法を図１の中心線の右側で説明する。ＡおよびＢは接続する管でＳは継手のソケットである。管Ａと管Ｂには端部におねじＭが切ってあり、ソケットＳにはめねじが切ってある。ソケットＳの両端に管Ａと管Ｂをねじ込んで接続する。【０００３】  しかし、このねじ接続には強度上の問題があった。それは管にねじを切るために、ねじ底の肉厚が管の肉厚より薄くなり、外力に対し折れ易いという問題である。地震、振動による疲労、管に物が当たる、腐食などでねじ底に亀裂が入ったり折れたりしてしまう。そして、折れると折れ口で電線を痛めてしまうこともある。【０００４】  このような不具合が起こったとき、これを修理するのは大変である。電気を止め、電線を抜き、保護管を新しくし、電線を通し配線を元に戻すことになる。これは大掛かりになるので、簡単に修繕する方法はないかという要求があった。
また、東日本大震災の経験から、現在使われている物を補強する方法はないかという問題が提起された。
【発明の概容】
【発明が解決しようとする課題】
【０００５】  既設の電線を保護する管のねじ接続部はそのままにして、追加して補強する簡便な方法を考え、それを実現する物を提供すること。
【課題を解決するための手段】
【０００６】  管Ａ、ソケットＳ、管Ｂの順に接続された管路を、２個（一対）のクランプで向い合せに挟んだとき、クランプ中央にソケットＳが隙間のある状態で収まるリセスを設け、クランプ両端に管Ａおよび管Ｂに当たる締付面を設けて、２個のクランプをボルトで締付けて管路に取付け、管路に掛かる荷重を管Ａ、クランプ、管Ｂと伝達し支えるようにする。
【発明の効果】
【０００７】  電線や管に手をつけることがなく既存のねじ接続部に追加して補強するので、通電中でも補強工事が可能であり容易である。特に、折れたり亀裂が入ったりした場合にすぐ修繕することができ便利である。
【発明の実施するための最良の形態】
【０００８】  実施例を３例説明する。実施例１は２個の同じ形状寸法のクランプをボルトとナットで締付ける基本的な例、実施例２はナットを使わないように一方のクランプのボルト穴をねじ穴にした例、実施例３は管の引抜耐力を大きくした例である。
【実施例１】
【０００９】  図１は本発明の電線管補強クランプの使用状態の平面図で、中心線より左側は使用状態を、右側は上のクランプを除いた管の接続部と下のクランプの内面を示す。図２は図１のＡ視図である。【００１０】  図１および図２の１は上のクランプ、２は下のクランプで、この実施例では両者は同じ形状寸法である。３はソケットとクランプの間に隙間を確保するためのリセス、４は管Ａと管Ｂを締付けるための締付面、５はボルト穴、６はボルト、７はナットである。【００１１】  補強は次のようにする。
最初に図１の中心線より右側の図のようにクランプ２を管路に当てる。即ち、ソケットＳがリセス３に収まり、締付面４が管Ａと管Ｂに当たった状態にする。
次にもう１個のクランプ１を先のクランプ２に向い合せて管路に当て、２個のクランプでソケットＳを包むようにする。
最後に、ボルト穴５にボルト６を通し、ナット７で締め上げて終わる。【００１２】  この工程の要点は、ソケット周りに隙間が確保されていて、ボルト６とナット７で締め上げたときにソケットを締付ないように隙間が確保されていることである。その確認のために、仮締めのとき管路の軸線方向にクランプを動かし、図の上下方向の隙間があることを確認をするのが良い。【００１３】  管が折れていて修繕する場合、例えば管Ａが折れている場合は、ソケットＳと折れていない管Ｂの方で隙間を確認してボルト６、ナット７を仮締めし、管Ａをクランプの中に押し込むようにして折れて生じた隙間を小さくしてから本締めをするのがよい。
【実施例２】
【００１４】  実施例１はボルト６とナット７で締付けるが、ボルト６を支えナット７を回すのは、クランプ１とクランプ２を支えながらの作業になる。そのために、１人でするのは難儀である。そこでクランプ２のボルト穴５をナット７の代わりをするねじ穴に変えた。締付け作業は楽になった。
これによりクランプ２はクランプ１と異なる物になり、一対のクランプが必要になってコストアップになったが、締付け作業が容易で、総合コストは下がった。
【実施例３】
【００１５】  管Ａがねじ部で折れていて、管Ａと管Ｂに引張荷重がかかる場合は、管が抜けやすい。この対策のために、締付面４にねじ状の溝を切り管との接触面積を減らして面圧を高くした物を作り試験をした。引抜荷重が高くなり効果があった。
【図面の簡単な説明】
【００１６】
【図１】本発明の電線管補強クランプの平面図  中心線の左側は組立状態、右側は上のクランプを除いた組立前の状態である。
【図２】図１のＡ視図
【符号の説明】
【００１７】Ａ：管Ａ  Ｂ：管Ｂ  Ｓ：ソケット  Ｍ：おねじ  １：上のクランプ  ２：下のクランプ３：リセス  ４：締付面  ５：ボルト穴  ６：ボルト  ７：ナット
【図１】
2013247852.tif 000003
【図２】
2013247852.tif 000004
(57)【要約】【課題】料理・デザートで使用するバジル・ミントの葉は料理・デザートで使う度に生の葉のバジル・ミントを使用しなくてはならず飾りなので食べる事もなく使用後はゴミになってしまう。【解決手段】料理・デザートで使用するバジル・ミントにそっくりな色・形の飾りを作ることで使い捨てではなく使用後も洗って何度でも使えるエコな飾りとなる。【選択図】図１
2013091883.tif 000002
【特許請求の範囲】
【請求項１】
料理・デザートで使用するバジル・ミントにそっくりな色・形であることを特徴とする飾りである。
【請求項２】
バジル・ミントにそっくりな色・形の飾りは使用後も何度も洗って使えることを特徴とする請求項１記載の飾りである。
【発明の詳細な説明】
【技術分野】
【０００１】  この発明は、料理・デザートの飾りに用いるバジル・ミントに関する。
【背景技術】
【０００２】  従来の料理・デザートの飾りに用いるバジル・ミントは生の葉である。
【先行技術文献】
【特許文献】
【０００３】
【非特許文献】
【０００４】
【発明の概要】
【発明が解決しようとする課題】
【０００５】  しかしながら、今  現在では、料理・デザートに使う度に生の葉のバジル・ミントを使用しなくてはならず、飾りなので食べる事もなく使用後はゴミになってしまう。
そこで、この発明は、バジル・ミントを生の葉ではなくシリコンのような素材でバジル・ミントの葉にそっくりな色・形の飾りを作り、何度でも洗って使えゴミにならずエコで経済的な物を提供することを課題とする。
【課題を解決するための手段】
【０００６】  以上の課題を解決するために、第一発明は、料理・デザートで使用するバジル・ミントにそっくりな色・形であることを特徴
とする飾りである。
また、第二発明は、バジル・ミントにそっくりな色・形の飾りは使用後も何度も洗って使えることを特徴とする飾りである。
【発明の効果】
【０００７】  第一発明、または第二発明によれば、料理・デザートで使用するバジル・ミントにそっくりな色・形の飾りを作ることで使い捨てではなく使用後も洗って何度も使えるエコで経済的な飾りとなる。
【図面の簡単な説明】
【０００８】
【図１】この発明の一実施形態を示す斜視図である。（バジル）
【図２】この発明の一実施形態を示す斜視図である。（ミント）
【発明を実施するための形態】
【０００９】  この発明の一実施形態を、図１、図２に示す。
バジル・ミントの本体１、２はシリコンのような素材でありこの本体１、２は色・形もバジル・ミントにそっくりであり使用後も何度も洗って使える。
【００１０】「実施形態の効果」
この実施形態によれば、料理・デザートで使用するバジル・ミントにそっくりな飾りを作る事で飾りのために葉を買う使い捨てではなく使用後も洗って何度でも使う事のできる  経済的でエコな飾りとなる。
【図１】
2013091883.tif 000003
【図２】
2013091883.tif 000004
(57)【要約】【課題】本発明は、燃焼性の気体液体を貯蔵するタンクの免震、耐震性を付与する手段の提案である。【解決手段】本第1の発明は、気体もしくは液体を貯蔵する地上に設けたタンクにおいて、当該タンクの周囲近傍に、樹脂製あるいは金属製で柔軟性がある素材で形成された単位部材を互いに接続した単位部材集合体を配置した免震性を有するタンクである。タンクの脚部が損傷し、タンクが傾くことがあっても、タンクの外壁が損傷しないようまた地震エネルギーが直接タンクに伝わらないよう、タンクを柔軟性がある素材で形成された単位部材で包むようにした。【選択図】図1
2013091503.tif 000002
【特許請求の範囲】
【請求項１】
気体もしくは液体を貯蔵する地上に設けたタンクにおいて、当該タンクの周囲近傍に、樹脂製あるいは金属製で柔軟性がある素材で形成された単位部材を互いに接続した単位部材集合体を配置した免震性を有するタンク。
【請求項２】
気体もしくは液体を貯蔵する地上に設けたタンクにおいて、当該タンクの周囲近傍に樹脂製あるいは金属製で柔軟性がある素材で形成された単位部材を互いに接続した単位部材集合体を配置することでタンクに免震性を与える方法。
【発明の詳細な説明】
【技術分野】
【０００１】
本発明は、気体、液体を貯蔵するタンクに免震機能を付与する技術に属する。
【背景技術】
【０００２】
球形タンクの免震、制震方法は特開平06-156688、特開2002-080090、特開2011-184056には支持脚に沿った環状帯板を巡らす方法、支持脚を斜めに連結するエネルギー吸収ブレースを設ける、あるいはこれらの複合体が提案されている。特開2000-018321にはタンクを上下に区画し、下部区画にX-Y方向に震動する振り子を設けることが提案されている。しかしながらこれらの手段は、軟弱な地盤や、地震により流動化を起こす場所には適応することができない。
かかる場所にも危険物を充填したタンクに対する耐震、免震手段が求められている。
【先行技術文献】
【特許文献】
【０００３】
【特許文献１】特開平06-156688
【特許文献２】特開2002-080090
【特許文献３】特開2011-184056
【特許文献４】特開2000-018321
【発明の概要】
【発明が解決しようとする課題】
【０００４】
本発明は、燃焼性の気体液体を貯蔵するタンクのメンシン、耐震性を付与する手段の提案である。
【課題を解決するための手段】
【０００５】
本第1の発明は、気体もしくは液体を貯蔵する地上に設けたタンクにおいて、当該タンクの周囲近傍に樹脂製あるいは金属製で柔軟性がある素材で形成された単位部材を互いに接続した単位部材集合体を配置した免震性を有するタンクであり、
本第２の発明は、気体もしくは液体を貯蔵する地上に設けたタンクにおいて、当該タンクの周囲近傍に樹脂製あるいは金属製で柔軟性がある素材で形成された単位部材を互いに接続した単位部材集合体を配置することでタンクに免震性を与える方法である。
タンクの脚部が損傷し、タンクが傾くことがあっても、タンクの外壁が損傷しないようまた地震エネルギーが直接タンクに伝わらないよう、タンクを柔軟性がある素材で形成された単位部材で包むようにした。
【発明の効果】
【０００６】
本発明の免震性を有するタンクは、タンクの周囲近傍に樹脂製あるいは金属製で柔軟性がある素材で形成された単位部材を互いに接続した単位部材集合体を配置したため以下の効果がある。（１）地震のエネルギーを周囲に設けた単位部材集合体が吸収し、タンク基礎地盤に流動化が発生しタンクが傾いても、単位部材集合体が柔らかく受け止めタンクの損傷に至らない。
【図面の簡単な説明】
【０００７】
【図１】免震機能を付加したタンクを示す概念図である。
【図２】単位部材の例を示す図である。
【発明を実施するための形態】
【０００８】
以下、本発明を図により詳細に説明する。
図1は、免震機能を付加したタンクを示す概念図である。図１ａは、本タンクの平面図であり、図１ｂは、断面図を示している。
図に示したとおり、本タンクはその周囲を単位部材集合体で囲まれている。単位部材は柔軟性のある金属、樹脂製品であり、継手を用いてあるいは単位部材の形状によっては継手なしに接続し単位部材集合体を形成する。単位部材が柔軟性を有するため、タンクの周囲近傍に配設された単位部材集合体が、地震のエネルギーを吸収し、タンク本体に伝えるエネルギーを減少させる。
また、仮に地震による流動化現象によりタンクが傾いたりしても、単位部材集合体が支え、本来単位部材が有する柔軟性によりタンクの損傷を防ぐことができる。
【０００９】
単位部材集合体の内部に砂などを充填しておくこともできる。そのままでは砂は緊密に充填することは難しいが、周囲を透水性のシートで囲い上部から水と砂の混合物を流し込むことで可能となる。過剰の水分が周囲のシートから抜けたあと更に水と砂の混合物を流し込めばよい。単位部材集合体の強度の向上と、樹脂製の単位部材を使用した場合の、耐火性の向上となる。発泡性の樹脂を流し込んで集合体を固めることもできるが、耐火性に問題があるため下記に述べるように土盛りすることが好ましい。
【００１０】
図では、タンクの約半分までが単位部材集合体によって囲まれているが、タンク本体を全て覆うように配置してもなんら差し支えない。
必要に応じて単位部材の集合体をシートで覆い、集合体の表面を土壌で覆い、表面を緑化することもできる。
【００１１】
図２は、本発明に使用する単位部材の例である。雨水などの流出抑制用施設の構築に使用される単位部材が本目的にも使用できる。
【産業上の利用可能性】
【００１２】
可燃性のガス、液体あるいは危険物などを貯蔵するタンク類の免震付与のために使用できる。
【符号の説明】
【００１３】
１  免震機能を付加したタンク
２  タンク
３  単位部材集合体
４  単位部材
【図１】
2013091503.tif 000003
【図２】
2013091503.tif 000004
(57)【要約】      （修正有）【課題】クスリや小袋の開封を片手で行える自助具を提供する。【解決手段】小袋３をスタンド１に立てかけて置く。その後、ハサミで小袋３を切って開封する。小袋３がズレてスタンド１から倒れない様に縁を曲げてストッパーとする。【選択図】図１
2013091523.tif 000002
【特許請求の範囲】
【請求項１】
小袋のスタンド。縁を曲げ開封時に小袋が押されても倒れない構造。
【発明の詳細な説明】
【技術分野】
【０００１】本発明は片手でクスリや小袋を切る為の自助具に関する
使用する。【０００２】片手で簡単に使用できるもの【０００３】置くだけで位置が決まる【０００４】
【発明の概要】
【発明が解決しようとする課題】
【０００５】以上のような小袋の開封には、次のような解決すべき課題があった。
小袋を持ちハサミで開封する両手作業にて片麻痺や怪我で両手が使えない人には開封作業ができないことがある。
【課題を解決するための手段】
【０００６】ハサミで開封できる姿勢におけるスタンド【０００７】置き方の向き（左右）を変えるだけで右利き、左効きの人に対応【０００８】  縁を曲げて開封時に小袋が押されスタンドから落ちない構造
以上の点を解決する為に下図のようなスタンドを採用する。
【発明の効果】
【０００９】片手での開封作業ができる
【図面の簡単な説明】
【００１０】
【図１】この発明のお薬スタンドの具体的斜視図を示す
【符号の説明】
【００１１】１：お薬スタンド
２：ハサミ
３：小袋
【図１】
2013091523.tif 000003
(57)【要約】      （修正有）【課題】トレーディングカードを保護するカードスリーブには、予めイラストが印刷された物が発売されているが、個人が作成したオリジナルイラストを使用し制作することは、非常に高価である。家庭用プリンタ及びパソコンを用いて、自分の作成したオリジナルイラストを使用したカードスリーブを安価に製作提供する。【解決手段】現在発売されているカードスリーブは、表面（２）・裏面（１）共に素材にポリプロピレンフィルムを使用した物が一般的である。この裏面（１）の素材に染料・顔料で印刷が可能なポリエステルフィルム等の素材を用いることにより、家庭用のプリンタで個人のオリジナルイラストを印刷できるようにした。【選択図】図２
2013091167.tif 000002
【特許請求の範囲】
【請求項１】
トレーディングカードの保護を目的としたカードスリーブを家庭用プリンタで印刷を可能にしたものである。
【請求項２】
カードスリーブの素材には、ポリプロピレンフィルムの他、家庭用プリンタで印刷を可能にしたポリエステルフィルム等のフィルムを使用したものである。
【発明の詳細な説明】
【技術分野】
【０００１】
本発明は、トレーディングカードを保護するカードスリーブに個人が家庭で安価に印刷することを出来るようにした。
【背景技術】
【０００２】
現在市販されているカードスリーブには無地の物とイラストが印刷されている物がある。
無地のカードスリーブには、一般家庭のプリンタでは印刷することができないポリプロピレンフィルムが使用されており、個人の創作したオリジナルのイラストを印刷するためには、印刷会社に依頼する必要があり、高価となる。
家庭用プリンタで印刷が可能なカードスリーブは市販されておらず、同発明と同様の結果が得られるものも見当たらなかった。
【発明の概要】
【発明が解決しようとする課題】
【０００３】
トレーディングカード等を保護するカードスリーブはキャラクターが印刷されているものが一般的となっている。無地のカードスリーブも市販されているが、家庭用プリンタで直接印刷を行うことは困難である。また、カードスリーブへの印刷を印刷会社に依頼する場合、少数での制作が不可能なこと、また非常に高価となる。
本発明は、上記の問題を解決し、家庭で少数から制作を可能なカードスリーブを市場に提供するものである。
【課題を解決するための手段】
【０００４】
カードスリーブは素材として主に使用されているポリプロピレンフィルムが両面に使用されている。この内イラストを印刷する面に染料・顔料による印刷が可能なポリエステルフィルムなどを採用することにより問題の解決を図るものとする。
【発明の効果】
【０００５】
本発明は、家庭用プリンタさえあればトレーディングカードを保護するためのカードスリーブに安価に個人が創作したイラストを印刷することが可能となる。
【図面の簡単な説明】
【０００６】
【図１】印刷を行う前のカードスリーブである。
【図２】印刷を行った後のカードスリーブである。（実施例１）
【符号の説明】
【０００７】
（１）カードスリーブ裏面。イラスト印刷部分
（２）カードスリーブ表面。
（３）カードスリーブ裏面に印刷したイラスト
【発明を実施するための形態】
【０００８】
封筒程度の厚さ印刷が可能なプリンタを利用することである。
【実施例】
【０００９】
図２は、カードスリーブを家庭用プリンタにて印刷を行った後のカードスリーブである。
【産業上の利用可能性】
【００１０】
本発明は、カードスリーブを安価で個人がオリジナルイラストを印刷出来る。また、印刷が可能なカードスリーブを販売することが可能である。
【図１】
2013091167.tif 000003
【図２】
2013091167.tif 000004
【手続補正書】
【提出日】平成23年11月15日(2011.11.15)
【手続補正１】
【補正対象書類名】明細書
【補正対象項目名】０００４
【補正方法】変更
【補正の内容】
【０００４】
カードスリーブは素材として主に使用されているポリプロピレンフィルムが両面に使用されている。この内イラストを印刷する面に染料・顔料による印刷が可能な合成紙などを採用することにより問題の解決を図るものとする。
【手続補正２】
【補正対象書類名】特許請求の範囲
【補正対象項目名】請求項２
【補正方法】変更
【補正の内容】
【請求項２】
カードスリーブの素材には、ポリプロピレンフィルムの他、家庭用プリンタで印刷を可能にした合成紙等のフィルムを使用したものである。
(57)【要約】【課題】  夜間の停電時や暗い状況下等でも使用できる筆記具とする。【解決手段】  透明又は半透明とする筆記具の空洞先端部内のボールペン等のインク管周辺に、リング状もしくは１ないし複数の極小白色ＬＥＤライトを設け、暗い状況下等でも、それを点灯し、筆記作業が行える。【選択図】図１
2013091308.tif 000002
【特許請求の範囲】
【請求項１】
図１に示すよう、透明又は半透明な空洞先端部（１）内のインク管（２）周りにＬＥＤライト（３）設けた筆記用具。
【発明の詳細な説明】
【技術分野】
【０００１】  本発明は、暗い状況下でも使用できるようにしたライト付筆記用具に関するものである。
【先行技術文献】
【０００２】
【実用新案文献】
【実用新案文献１】
実用新案公開平７−４３１２２
【発明の概要】
【発明が解決使用とする課題】
【０００３】１．実用新案公開平７−４３１２２（これ以後、先考案とする）は、市販のペン型懐中電  灯（１）と筆記具本体（２）とを組み合わせなければ、暗い状況下等における筆記具の  使用はできない不便性がある。
２．先考案は、筆記具本体（２）内部のインク管の上部が、懐中電灯ランプ面にぶつかる  ため、その都合インク管が極端に短く、一般のボールペン等に比べ長く使用できない。
３．又、先考案は、その中央部にあるランプの都合、多くのボールペン等に見られるペン  先が  出し入れできるノック式にすることが不可能である。
４．先考案は、使用後のペン先保護等のためキャップをするものの、市販のペン型懐中電  灯（１）と筆記具本体（２）との接続はネジ式ではないため、キャップを外すさい、懐  中電灯（１）の頭部から筆記具本体（２）が同時に抜けてしまうことも考えられる。
５．市販のペン型懐中電灯の筒や頭部のサイズには特に規格がないため、それら市販のペ  ン型懐中電灯に、筆記具本体（２）が問題なく取り付けられ固定できるとは言い難い。
６．本発明は、以上のこれら問題を解決しようとするものである。
【問題を解決するための手段】
【０００４】  本発明は図１に示すよう、透明又は半透明な空洞先端部（１）内のボールペン等のインク管（２）の周辺に、リング状もしくは１ないし複数の極小白色ＬＥＤライト（３）を設け、それを働かせるための装置を筆記具本体内部に、その点灯点滅のスイッチを本体外部に設ける。
【発明の効果】
【０００５】１．本発明はこれによって、先考案のように市販のペン型懐中電灯などを上部に組み合わ  せる必要がない。
２．本発明は、ＬＥＤライトがインク管の周りにあるため、先考案と違って、そのインク  管長さがライトによって影響されない。
３．本発明は、懐中電灯がインク管上部にないため、これまであったペン先の  出し入れ  をするノック式が可能となる。
４．本発明は、先考案のペン型懐中電灯と筆記具本体のような別物の組み合わせよる接続  がないため、使用上外れる等の問題が生じない。
５．本発明は、ＬＥＤライトを点灯することによって、停電時や室外の暗い状況下におい  ても、ペン先を紙に走らせることができ大変便利である。
【図面の簡単な説明】
【０００６】
【図１】  本発明の実施形態を示す筆記用具の斜視図
【符号の説明】
【０００７】  １  透明又は半透明の空洞先端部
２  インク管
３  白色ＬＥＤライト
【図１】
2013091308.tif 000003
(57)【要約】【課題】集成材の製造に当たって、従来のモルダーでラミナ削りを行うには、曲がり材は不適であった。【解決手段】曲がったラミナ材を正確に幅決めをしながら曲りなりに切削加工できる様に、左右相対する位置に置かれた切削軸の直後に短い固定定規とサイドプレッシャー定規を置いた上で、取り幅から少し広い平行のガイド定規を置いた。更に、切削前には切削面右より少し離れた位置から右切削軸の直前までガイド壁を、その対面にサイドローラーを置いたモルダー。【選択図】図４
2013091309.tif 000002
【特許請求の範囲】
【請求項１】
曲がったラミナ材の幅を正確に決める為に刃物がセットされた切削軸を左右相対する位置に置き、その直後の右に短い固定定規を、左に同じ長さのサイドプレッシャー定規を置く。そしてその直後に固定定規とサイドプレッシャー定規の幅より広いガイドを設けたモルダー。
【請求項２】
切削前の投入側には右切削軸の曲がりに応じて任意に調整出来るガイド定規を、左の対面にサイドローラーを置いたモルダー。
【発明の詳細な説明】
【技術分野】
【０００１】本発明は、集成材の製造に当たって木材の有効活用に関する。【０００２】一般に建材の切削加工にはモルダーと呼ぶ木工機械を用いる。それは製材、乾燥された板材又は角材の上下左右を滑らかに削るものである。１台の機械が複数の刃物がセットされた回転軸を持ち、一工程で四面を高速で正確な寸法に仕上げるものである。【０００３】以下の文中で用いる左右とは機械及び木材の送りの方向に向かっての意味である。
図１は従来のモルダーの構造を簡単に示す平面図である。１は下横軸、２は右縦軸、３は左縦軸、４は上横軸で、夫々板の下、右、左、上面の順に切削します。５は板を真っ直ぐに導くフェンスと呼ぶ定規、６は送材ローラー、７はフェンスから離れない様に圧すサイドローラー。更に、８は送りの方向、６と７の横に付した矢印は夫々が圧す方向を示す。
【背景技術】
【０００４】近年、モルダーの高速化は進んだが、その基本的な構造設計に変化は無かった。木材資源が不足となるにつれて、集成材の生産が盛んとなり、小径木、曲がり材、端材等の活用が叫ばれるに至った。中でも曲がり材の有効利用が重要な課題となった。【０００５】集成材を構成する板材をラミナと言い、接着・積層に適したラミナとは、個々の板材の四面の寸法が正確に揃い、且つ、表面が滑らかに削られている事が要求される。
【先行技術文献】
【特許文献】
【０００６】
【特許文献１】特開平７−１２４９０３
【発明の概要】
【発明が解決しようとする課題】
【０００７】モルダーの使用に当たって、曲がり材の場合、その曲がりを伸ばしながら切削しようと送り込むので、その際に応力が発生する。これを換言すればフェンスから離れようとする力であり、それが働いた時にフェンスと反対側の左縦軸が予定の取り幅以上に削ってしまう事が起こり、仕上げ幅が減少する。この現象を幅落ちと呼んでいる。【０００８】幅落ちには図２に示すような、未削りＡやクワレＢが含まれる。  図２−１は固定フェンスに対して反り方向に曲がり、図２−２は拝み方向に曲がったケースを描いたもので、夫々のＡ印は未削りに因る幅落ち、Ｂはクワレ及び応力作用に因る幅落ちを示す。両図の右に描かれているのは断面図である。クワレＢ幅落ちＡが大きい場合はラミナとして使用不可能である。【０００９】図２−３は幅落ち材を積層・接着した直後と、図２−４はそれを削った後も幅落ち箇所が要補修として残った様子を示す。この状態では柱として使えないので、凹んだ箇所に手作業で木と同じ色のパテを充填して補修するが、それだけコストの増大と生産性向上の妨げとなっていた。クワレＢ幅落ちＡが補修限度を超えた場合、製品化する事は出来なかった。
【課題を解決するための手段】
【００１０】本発明は、曲がったラミナ材の幅を正確に決める為に、刃物がセットされた切削軸を左右相対する位置に置き、その直後に右に短い固定定規を、左に同じ長さのサイドプレッシャー定規を置き、更にその直後に固定定規とサイドプレッシャー定規の幅より広く平行なガイド壁を設けたモルダーである。【００１１】更に、本発明は、切削前の投入側には右切削軸直前迄曲がりに応じて任意に調整できるガイド定規を、左にサイドローラーを置いたモルダーである。
【発明の効果】
【００１２】曲がりなりに正確に幅を保ちながらラミナ加工が出来る様になった。試作機によるテストの結果は申し分無く、材料の有効利用、歩留りの向上、生産性の向上等により、大幅な利益アップが確保出来る見通しとなった。
【図面の簡単な説明】
【００１３】
【図１】従来のモルダーを示す平面図
【図２】未削りとクワレの幅落ちと積層・接着した場合と、それを削っても凹みが残る例を示す図
【図３】本発明のモルダーで削ったラミナと積層・仕上がりの状態を示す図
【図４】本発明によるモルダーの簡単な平面図
【図５】曲がり材を本発明のモルダーに投入した場合の平面図
【実施例】
【００１４】図４はこの発明で設計した新モルダーの簡単な平面図である。要約すれば、幅と密接に関係する縦の切削軸１１及び１２を相対軸として配置し、右切削軸直後に５０−１５０ｍｍの固定軸１３と、左に切削軸直後に同様の長さのサイドプレッシャー定規１４を置いた。更にその先に、ガイド壁右１５と左１６を固定定規１３、サイドプレッシャー定規１４の面から５−１５ｍｍ後退させて並行に設置した。以上が切削後の構造である。【００１５】相対軸による切削軸以前には、右切削軸１１の直前に材の曲がりに応じて任意に調整できるガイド定規１７を設け、左切削軸１２の直前迄にはサイドローラー１９を置いた。これにより、曲がり材を矯正しながら投入が出来る様にした。【００１６】図５の図５−１は右曲がりの板をモルダーに投入した様子を示し、ガイド定規１７を広げた結果、板が曲がったままで投入されてゆく状態を示し、図５−２は逆に左に曲がった板を投入した結果、ガイド壁１６の広げたところを出てゆこうとする様子を示す。【００１７】固定定規１３とサイドプレシャー定規１４について述べるが、定規を短くする事により応力を逃がす事が出来相対軸１１と１２で幅を正確に決める事が出来るようになった。加えて加工材の横揺れと蛇行を抑止する事も出来た。その後はガイド壁１５と１６により出口迄導く様にした。【００１８】図３の図３−１、図３−２、図３−３は幅は全て同じであるが夫々が曲がっていたり真っ直ぐであったり、曲がりが板毎に異なっている様子を示す。ラミナを積層する際に上下左右からプレスしながら行うので、経験上３ｍの長さに対して３０ｍｍ程度の曲がりであればプレスで矯正されるので製品化に問題はない。図３−４は曲がりの異なる板５枚を張り合わせた様子。図３−５は仕上がり図である。
【図１】
2013091309.tif 000003
【図２】
2013091309.tif 000004
【図３】
2013091309.tif 000005
【図４】
2013091309.tif 000006
【図５】
2013091309.tif 000007
(57)【要約】【課題】本発明は、建屋、戸建住宅、設備、装置用の新しい安価な免震技術の提案にある。【解決手段】本発明は、建屋の基礎と地盤の間に弾性体チップを透水シートで構成された袋に充填して敷き詰め、地盤から伝わる地震エネルギーを分散吸収し、地震動を低減する建屋用簡易免震工法である。弾性体チップを地中に飛散させず、一体としてその効果を発揮できる免震装置とするため、弾性体チップを透水性の袋に詰めて砕石に置き換えて使用する。【選択図】図1
2013091946.tif 000002
【特許請求の範囲】
【請求項１】
建屋の基礎と地盤の間に弾性体チップを透水シートで構成された袋に充填して敷き詰め、地盤から伝わる地震エネルギーを分散吸収し、地震動を低減する建屋用簡易免震工法。
【発明の詳細な説明】
【技術分野】
【０００１】
本発明は、戸建住宅、設備、装置等の軽量構造物に免震機能を付与するための簡易免震技術に属する。
【背景技術】
【０００２】
最近の免震技術としては、建物と土台の基礎との間に積層ゴム体やベアリングなどを活用した免震装置を設置し、地震の揺れが直接建物に伝わるのを防止する建築工法が一般的である。
【０００３】
しかし、免震装置を設置した建築工法を適用することで、地震動が直接建物に伝わりがたいため、家具や什器などの転倒を防止する効果が分っていても、免震装置を設置した戸建住宅は初期投資が高額となると共に、免震装置の機能を維持するための定期保守が要求される。
【０００４】
この改善策として砕石や砂利を利用した戸建住宅、設備、装置等の軽量構造物に免震機能を付与するための簡易免震技術がある。これに関し特開２０１１−１８４９８４あるいはケーソン基礎用に特開２００１−２２０７５４が提案されている。
【先行技術文献】
【特許文献】
【０００５】
【特許文献１】特開２０１１−１８４９８４
【特許文献２】特開２００１−２２０７５４
【発明の概要】
【発明が解決しようとする課題】
【０００６】
本発明は、建屋、戸建住宅、設備、装置用の新しい安価な免震技術の提案にある。
【課題を解決するための手段】
【０００７】
本発明は、建屋の基礎と地盤の間に弾性体チップを透水シートで構成された袋に充填して敷き詰め、地盤から伝わる地震エネルギーを分散吸収し、地震動を低減する建屋用簡易免震工法である。
弾性体チップを地中に飛散させず、一体としてその効果を発揮できる免震装置とするため、弾性体チップを透水性の袋に詰めて砕石に置き換えて使用する。
【発明の効果】
【０００８】
本発明の簡易免震工法は、（１）透水性の袋体に弾性体チップを充填し、建屋の基礎と地盤の間に敷き詰めたため地震動をより効果的に分散吸収することができる。（２）透水性の袋体に充填したため弾性体チップ間に土砂の浸入が防止でき、地震動の分散吸収機能が維持できる。（３）袋体に充填したため袋体ごと交換することが可能となる。
【図面の簡単な説明】
【０００９】
【図１】本免震工法の実施例（平面図）である。
【図２】本免震工法の実施例（断面図）である。
【発明を実施するための形態】
【００１０】
以下本発明を図により詳細に説明する。
図1は、本免震工法における実施例の平面図である。１は敷地、２は戸建住宅、３は透水性袋体に充填した弾性体チップの施工範囲である。３の施工範囲は戸建住宅の建築物の範囲より一回り大きく施工する。本免震工法は建屋に係わらず設備、装置等の基礎と地盤の間に適応することができる。
【００１１】
弾性体チップはゴム弾性を有する塊あるいはタイヤチップなどあるいは金属性のサドルなどの板ばねを透水性の袋体に充填使用することができる。使用する弾性体は適用する建築物の大きさ、重量など勘案して種類、充填程度を異なるものとすることができる。
透水性の袋体は弾性体チップ間に砂泥が進入し、弾性機能を阻害することを防止するものである。袋体は土嚢のように積み重ね並べてもよく、全体を一つにまとめ充填してもよい。袋体を断面矩形の袋とし、必要に応じて袋体ごと引抜き交換することができる。
【００１２】
図２は、本免震工法における実施例の断面図である。４は地盤、５は弾性体チップ、６は戸建住宅の基礎、７は戸建住宅の土台、８は戸建住宅を示す。
弾性体チップは、図に示すように基礎と地盤との間に、建物あるいは設備などの重量を考慮してその厚みを変えて敷き詰める。
【産業上の利用可能性】
【００１３】
本免震工法は、戸建住宅、設備、装置等の構造物に免震機能を付与するために使用される。
【符号の説明】
【００１４】
１  敷地
２  戸建住宅（平面図）
３  弾性体チップの施工範囲
４  地盤
５  弾性体チップ
６  基礎
７  戸建住宅の土台
８  戸建住宅（断面図）
【図１】
2013091946.tif 000003
【図２】
2013091946.tif 000004
(57)【要約】【課題】不老不死薬の改良版を作り最新科学応用で不老不死を完璧にする。【解決手段】ヒトｉＰＳ細胞初期化Ｏｃｔ３／４、Ｓｏｘ２、Ｋｌｆ４、Ｌ−ｍｙｃ、Ｌｉｎ２８、ｐ５３ｓｈＲＮＡをプラスミドに入れコーティングするかたんぱく質の「かご」に入れ経口式とし老人脳は海馬と大脳を光か電極刺激して全記憶が甦り脳も若くなる結果、不老不死薬３となる経口不老不死薬を作り不老不死にする。【選択図】なし【特許請求の範囲】
【請求項１】
（イ）ヒトｉＰＳ６因子である初期化するのに必要なＯｃｔ３／４、Ｓｏｘ２、Ｋｌｆ４、Ｌ−Ｍｙｃ、Ｌｉｎ２８、ｐ５３ｓｈＲＮＡを用意する。
（ロ）これら６因子をプラスミドに入れて胃酸や熱で壊れないようにコーティングするか、たんぱく質の「かご」に入れる。
（ハ）従来、プラスミドを血液中に入れていたが、これを経口式にすることで口から飲むという単純化とした。
（ニ）このようにして全細胞が初期化し経口不老不死薬となるが脳細胞の初期化で記憶も甦るか、脳の中の海馬と大脳を光刺激か電極刺激して全記憶が甦り老人脳も若くなる。
以上のような特徴を持つｉＰＳ６因子コーティングかかご入れ初期化利用老人脳光電極刺激全記憶甦り経口不老不死薬３
【発明の詳細な説明】
【技術分野】
【０００１】本発明は、ヒトｉＰＳ６因子細胞初期化老人脳全記憶甦り利用経口不老不死薬３に関する。
【背景技術】
【０００２】従来、ヒトｉＰＳ細胞初期化６因子利用経口不老不死薬に関する技術はすくなかった。【０００３】
【非特許文献１】「毎日新聞」２０１２年１０月１１日、１頁。
【非特許文献２】「毎日新聞」２０１２年１２月４日、１２頁。
【非特許文献３】「ネイチャーオンライン版」２０１２年３月２２日付け
【発明の開示】
【発明が解決しようとする課題】
【０００４】  従来、ヒトｉＰＳ細胞初期化６因子利用経口不老不死薬に関する技術はすくなかったので最新技術よって改良実現させる。
【課題を解決するための手段】
【０００５】  ヒトｉＰＳ細胞初期化６因子をプラスミドに入れコーティングかかご入れ老人脳全記憶甦りを海馬と大脳光電極刺激で行う。
【発明の効果】
【０００６】  不老不死の肉体を保てる。
【発明を実施するための最良の形態】
【０００７】    以下、本発明の実施例について時系列的に文章で説明する。ヒトｉＰＳ６因子である初期化するのに必要なＯｃｔ３／４、Ｓｏｘ２、Ｋｌｆ４、Ｌ−Ｍｙｃ、Ｌｉｎ２８、ｐ５３ｓｈＲＮＡを用意する。これら６因子をプラスミドに入れて胃酸や熱で壊れないようにコーティングするか、たんぱく質の「かご」に入れる。従来、このプラスミドを血液中に入れていたが、これを経口式にすることで口から飲むという単純化とした。このようにして全細胞が初期化し経口不老不死薬となるが脳細胞の初期化で記憶も甦るか、脳の中の海馬と大脳を光刺激か電極刺激して全記憶甦り老人脳も若くなる。以上ような特徴を持つｉＰＳ６因子コーティングかかご入れ初期化利用老人脳光電極刺激全記憶甦り経口不老不死薬３。
【実施例】
【０００８】上記の非特許文献の如く実施される。
【産業上の利用可能性】
【０００９】      ｉＰＳ６囚子コーティングかかご入れ初期化利用老人脳光電極刺激全記憶甦り経口不老不死薬３はヒトｉＰＳ細胞初期化３遺伝子利用経口不老不死薬の改良技術で大きく進歩を遂げ高齢化が進む中この薬の需要の産業上の利用可能性は高いと解される。
(57)【要約】【課題】  入れ歯等の器具を水中で清潔に保存できる抗菌・消臭材の提供。【解決手段】  純度９９ｗｔ％以上の錫を鋳造して所定の形状に形成され、入れ歯等の器具と共に水中に浸漬することを特徴とする。【選択図】      図１
2013193976.tif 000002
【特許請求の範囲】
【請求項１】
純度９９ｗｔ％以上の錫を鋳造して所定の形状に形成され、入れ歯等の器具と共に水中に浸漬することを特徴とする抗菌・消臭材。
【発明の詳細な説明】
【技術分野】
【０００１】
本発明は、入れ歯やカミソリ等の器具を水を入れた容器内で保存する際に用いられる抗菌・消臭材に関する。
【背景技術】
【０００２】
入れ歯は、毎晩寝る前に外して水を入れた容器の中に入れて保存している。入れ歯には雑菌等が付着しているので、翌朝には雑菌が繁殖して容器内の水や入れ歯が大変汚くなり、装着する前に入れ歯を磨かねばならなかった。また入れ歯は、長い間使用するうちに口臭が染みついて臭くなる。入れ歯と一緒に水に入れる発泡性の洗浄剤も市販されているが、そのような洗浄剤を毎日使用すると費用がかさむし、装着する前には入れ歯を丁寧にゆすいで洗剤を落とす手間がかかる。
【発明の概要】
【発明が解決しようとする課題】
【０００３】
本発明は以上に述べた実情に鑑み、入れ歯等の器具を水中で清潔に保存できる抗菌・消臭材の提供を目的とする。
【課題を解決するための手段】
【０００４】
上記の課題を達成するために請求項１記載の発明による抗菌・消臭材は、純度９９ｗｔ％以上の錫を鋳造して所定の形状に形成され、入れ歯等の器具と共に水中に浸漬することを特徴とする。本発明の抗菌・消臭材は、入れ歯以外にも雑菌が繁殖しやすい他の器具、例えばカミソリ等を保管するのにも有効である。
【発明の効果】
【０００５】
請求項１記載の発明による抗菌・消臭材は、入れ歯等の器具と共に容器の水の中に浸漬しておくと、錫の金属イオンが水中に溶けだし、この金属イオンの持つ優れた抗菌作用及び消臭作用等により、雑菌の繁殖が抑えられると共に汚れや口臭等の臭いが除去され、入れ歯等の器具を清潔に保つ効果がある。本発明の抗菌・消臭材は、繰り返し使用できるので経済的である。
【図面の簡単な説明】
【０００６】
【図１】本発明の抗菌・消臭材の一実施形態を示す斜視図である。
【図２】本発明の抗菌・消臭材を使用した場合と使用しない場合とで容器内の状態を比較した写真である。
【図３】本発明の抗菌・消臭材を使用した場合と使用しない場合とでカミソリの状態を比較した写真である。
【図４】本発明の抗菌・消臭材の他の実施形態を示す斜視図である。
【発明を実施するための形態】
【０００７】
以下、本発明の実施の形態を図面に基づいて説明する。図１は、本発明の抗菌・消臭材１の一実施形態を示している。この抗菌・消臭材１は、純度９９ｗｔ％以上（好ましくは９９．９ｗｔ％以上）の錫のインゴットを溶かし、型に流し込んで略三角形のチップ状に形成したものである。この抗菌・消臭材１の大きさは、三角形の一辺の長さが約１０〜１５ｍｍ、厚みが２ｍｍ程度の非常に小さいものである。
この抗菌・消臭材１は、市販の入れ歯保存用の容器２に水３を入れ、その水３中に入れ歯（図示省略）と共に浸漬して使用する。こうして本発明の抗菌・消臭材１を入れ歯と共に容器２の水３の中に浸漬しておくと、錫の金属イオンが水中に溶けだし、この金属イオンの持つ優れた抗菌作用、殺菌作用、浄化作用、消臭作用により、雑菌の繁殖が抑えられると共に汚れや口臭が除去され、入れ歯を清潔に保つことができる。入れ歯は、容器２から出して軽く水洗いして使用する。
【０００８】
本発明の抗菌・消臭材１の素材について、ＪＩＳＺ２８０１：２０００「抗菌加工製品−抗菌性試験方法・抗菌効果」５．２プラスチック製品などの試験方法に準拠し、抗菌性試験を行った。用いた菌種は大腸菌、黄色ブドウ球菌であり、対照としてオルガノ社製ストマッカー４００用ポリ袋を用いた。
この試験の結果、大腸菌に対する抗菌活性値は２．５、黄色ブドウ球菌に対する抗菌活性値は２．４であった。この試験では、抗菌活性値が２．０以上で抗菌効果有りと判断されることから、本発明に係る抗菌・消臭材１は、大腸菌、黄色ブドウ球菌の何れに対しても抗菌効果が有ることが確認された。
【０００９】
図２は、容器の中に水を入れて入れ歯を２４時間保存したときに、本発明の抗菌・消臭材を使用した場合と使用しない場合とで、容器内の状態を比較した写真である。この写真に示すように、本発明の抗菌・消臭材を使用しない場合には、容器の底の方に茶色い汚れが付着していたのに対して、本発明の抗菌・消臭材を使用したものではそのような汚れが全くなく、ぴかぴか光るほどに綺麗な状態であった。また、本発明の抗菌・消臭材を水中に入れて保存した後の入れ歯は、汚れや沈着物が除去されて綺麗な状態となり、また口臭もしなくなった。
【００１０】
図３は、水を入れた容器の中でカミソリを保存したときに、本発明の抗菌・消臭材を使用した場合と使用しない場合とで、カミソリの状態を比較した写真である。この写真より明らかなように、本発明の抗菌・消臭材を使用しない場合には、刃の部分に汚れが付着し、柄の部分には青錆が付着していたのに対して、本発明の抗菌・消臭材を使用したものではそのような汚れや青錆が無く、非常に綺麗な状態で保存できることが確認された。また、本発明の抗菌・消臭材を使用すると、臭いも除去できることが確認された。
【００１１】
以上に述べたように、本発明の抗菌・消臭材を入れ歯等の器具と共に水中に浸漬しておくと、錫の金属イオンが水中に溶けだし、この金属イオンの持つ優れた抗菌作用、殺菌作用、浄化作用及び消臭作用により、雑菌の繁殖が抑えられると共に汚れや口臭等の嫌な臭いが除去され、入れ歯等の器具を清潔に保つ効果がある。また同時に、容器内の汚れを防ぎ、水を浄化する効果もある。さらに本発明の抗菌・消臭材は、繰り返し使用できるので経済的である。
【００１２】
本発明は以上に述べた実施形態に限定されない。抗菌・消臭材の具体的な形や大きさは、適宜変更することができ、例えば図４に示すように、花の形、ハート形、リング形等とすることができる。
【符号の説明】
【００１３】
１  抗菌・消臭材
２  容器
３  水
【図１】
2013193976.tif 000003
【図４】
2013193976.tif 000004
【図２】
2013193976.tif 000005
【図３】
2013193976.tif 000006